(57)【特許請求の範囲】
【請求項１】
大気中に飛散している塩分を捕獲可能である素材が連なった帯状の飛散塩分捕獲体と、該飛散塩分捕獲体をその一部が曝露するように保持する保持装置とを備え、
前記保持装置は、
前記飛散塩分捕獲体の一部を曝露させるための開口と、該開口を挟んだ第１の室と第２の室とが設けられた筐体と、
前記第１の室に配され、前記飛散塩分捕獲体の未使用部分を巻き取って保持する第１の保持部と、
前記第２の室に配され、前記第１の保持部から巻き出されて前記開口の位置を通過した前記飛散塩分捕獲体の使用済み部分を巻き取って保持する第２の保持部と、
前記第２の室に配され、帯状のシート材を巻き取って保持する第３の保持部とを備え、
前記第２の保持部は、前記第３の保持部から巻き出された前記シート材と前記飛散塩分捕獲体の使用済み部分とを重ね合せて巻き取って保持し、
前記第１の保持部と前記第２の保持部とは、上下に重ねて配されており、
前記筐体は、前記飛散塩分捕獲体をその幅方向に挟む一対の側板を備え、
前記一対の側板の横幅は、前記開口の位置においてその上下よりも狭く、前記開口の前側の左右両側が前記一対の側板によって遮蔽されずに開放されている飛散塩分捕獲装置。
【請求項２】
前記保持装置は、
前記第２の保持部を回転させる駆動部と、
未使用の前記素材が所定時間毎に順次前記第１の室から前記開口の位置に移動され、使用済の前記素材が所定時間毎に順次前記開口の位置から前記第２の室へ移動されるように、前記駆動部を制御する制御部と
を備える請求項１に記載の飛散塩分捕獲装置。
【請求項３】
前記保持装置は、
前記第１の室と前記第２の室とに配され、前記飛散塩分捕獲体の前記開口の位置における姿勢を鉛直に維持するガイドローラーを備える請求項１又は請求項２に記載の飛散塩分捕獲装置。
【請求項４】
前記飛散塩分捕獲体は、前記素材が張られた枠体を備え、
前記ガイドローラーは、前記枠体に当接し、前記素材には当接しないように構成されている請求項３に記載の飛散塩分捕獲装置。
【請求項５】
前記筐体は、
前記第１の室に前記飛散塩分捕獲体を出し入れするための第１の開閉蓋と、
前記第２の室に前記飛散塩分捕獲体と前記シート材とを出し入れするための第２の開閉蓋とを備える請求項１から請求項４までの何れか１項に記載の飛散塩分捕獲装置。
【請求項６】
前記保持装置を収容し、前記飛散塩分捕獲体に導風する導風口が設けられた箱を備える請求項１から請求項５までの何れか１項に記載の飛散塩分捕獲装置。
【請求項７】
前記導風口が前記保持装置の周囲を囲うように前記箱に設けられている請求項６に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに塩分を含んだ大気を通過させてガーゼに塩分を付着させ、その付着した塩分の量を測定するというものである。
【０００３】
また、特許文献１に記載の外気導入装置では、外気を屋外構造物の内部に導入する外気導入部にテープ状の除塩フィルタを設け、この除塩フィルタで塩分を捕獲することで、外気中の塩分が屋外構造物の内部に入ることを防止している。ここで、特許文献１に記載の外気導入装置では、除塩フィルタの新規な面を外気導入部へ送り出し、塩分が付着した面を外気導入部から退避させる機構を設けることで、連続しての塩分の捕獲を可能にしている。
【先行技術文献】
【特許文献】
【０００４】
【特許文献１】特開２０１１−８５５１６号公報
【発明の概要】
【発明が解決しようとする課題】
【０００５】
ところで、百葉箱を鉄塔等の高所に設置してその中に上述のガーゼを設置することにより、高所での飛散塩分量を測定できる。この場合、ガーゼを所定期間毎に交換する必要があるが、交換作業の度に百葉箱を高所で上げたり下したりするのでは作業性が悪い。そのため、高所に設置した百葉箱の中で自動若しくは簡単な操作により、曝露位置において飛散塩分を捕獲するガーゼと未使用のガーゼとを交換できるようにすることが望ましい。ここで、使用済みのガーゼを巻き取った場合、使用期間の異なるガーゼが接触すること等により捕獲期間の異なる塩分が混ざり合って各期間の飛散塩分量を測定できなくなる可能性がある。
【０００６】
本発明は、上記事情に鑑みてなされたものであり、飛散塩分を捕獲する素材の交換を自動若しくは簡単な操作により実施できるようにすると共に、捕獲期間の異なる塩分が混ざり合わないように、使用済の素材を保管できるようにすることを課題とするものである。
【課題を解決するための手段】
【０００７】
本発明に係る飛散塩分捕獲装置は、大気中に飛散している塩分を捕獲可能である素材が連なった帯状の飛散塩分捕獲体と、該飛散塩分捕獲体をその一部が曝露するように保持する保持装置とを備え、前記保持装置は、前記飛散塩分捕獲体の一部を曝露させるための開口と、該開口を挟んだ第１の室と第２の室とが設けられた筐体と、前記第１の室に配され、前記飛散塩分捕獲体の未使用部分を巻き取って保持する第１の保持部と、前記第２の室に配され、前記第１の保持部から巻き出されて前記開口の位置を通過した前記飛散塩分捕獲体の使用済み部分を巻き取って保持する第２の保持部と、前記第２の室に配され、帯状のシート材を巻き取って保持する第３の保持部とを備え、前記第２の保持部は、前記第３の保持部から巻き出された前記シート材と前記飛散塩分捕獲体の使用済み部分とを重ね合せて巻き取って保持し、前記第１の保持部と前記第２の保持部とは、上下に重ねて配されており、前記筐体は、前記飛散塩分捕獲体をその幅方向に挟む一対の側板を備え、前記一対の側板の横幅は、前記開口の位置においてその上下よりも狭く、前記開口の前側の左右両側が前記一対の側板によって遮蔽されずに開放されているものである。
【０００８】
前記飛散塩分捕獲装置において、前記保持装置は、前記第２の保持部を回転させる駆動部と、未使用の前記素材が所定時間毎に順次前記第１の室から前記開口の位置に移動され、使用済の前記素材が所定時間毎に順次前記開口の位置から前記第２の室へ移動されるように、前記駆動部を制御する制御部とを備えてもよい。
【０００９】
前記飛散塩分捕獲装置において、前記保持装置は、前記第１の室と前記第２の室とに配され、前記飛散塩分捕獲体の前記開口の位置における姿勢を鉛直に維持するガイドローラーを備えてもよい。
【００１０】
前記飛散塩分捕獲装置において、前記飛散塩分捕獲体は、前記素材が張られた枠体を備えてもよく、前記ガイドローラーは、前記枠体に当接し、前記素材には当接しないように構成されてもよい。
【００１２】
前記飛散塩分捕獲装置において、前記筐体は、前記第１の室に前記飛散塩分捕獲体を出し入れするための第１の開閉蓋と、前記第２の室に前記飛散塩分捕獲体と前記シート材とを出し入れするための第２の開閉蓋とを備えてもよい。
【００１３】
前記飛散塩分捕獲装置は、前記保持装置を収容し、前記飛散塩分捕獲体に導風する導風口が設けられた箱を備えてもよい。前記導風口が前記保持装置の周囲を囲うように前記箱に設けられていてもよい。
【発明の効果】
【００１４】
本発明によれば、飛散塩分を捕獲する素材の交換を自動若しくは簡単な操作により実施できると共に、捕獲期間の異なる塩分が混ざり合わないように、使用済の素材を保管できる。
【図面の簡単な説明】
【００１５】
【図１】一実施形態に係る飛散塩分捕獲装置を示す斜視図である。
【図２】飛散塩分捕獲体を示す正面図である。
【図３】保持装置を示す縦断面図である。
【図４】保持装置を示す正面図である。
【図５】保持装置を示す側面図である。
【図６】保持装置の使用方法を説明するための縦断面図である。
【図７】保持装置の使用方法を説明するための縦断面図である。
【図８】他の実施形態に係る保持装置を示す側断面図である。
【図９】他の実施形態に係る飛散塩分捕獲体を示す正面図である。
【図１０】他の実施形態に係る保持装置を示す側断面図である。
【図１１】他の実施形態に係る保持装置を示す正面図である。
【図１２】他の実施形態に係る飛散塩分捕獲体を示す正面図である。
【図１３】他の実施形態に係る保持装置を示す側断面図である。
【図１４】他の実施形態に係る保持装置を示す側断面図である。
【発明を実施するための形態】
【００１６】
以下、図面を参照しながら、本発明を実施するための形態を説明する。図１は、一実施形態に係る飛散塩分捕獲装置１０を示す斜視図である。この図に示すように、飛散塩分捕獲装置１０は、百葉箱１と、百葉箱１内に設置された保持装置１００と、保持装置１００が保持する飛散塩分捕獲体２０（図２参照）とを備えている。百葉箱１は、直方体状の箱であり、四つの側面にガラリ２が設けられている。ガラリ２は、奥側へかけて上側に傾斜する整流板が縦に並んだ構成である。また、百葉箱１の上面には、飛散塩分捕獲体２０を箱内に出し入れするための蓋３が設けられている。この蓋３の一辺がヒンジ（図示省略）を介して百葉箱１の上端の一辺に取り付けられており、蓋３のヒンジとは反対側の一辺と百葉箱１の上端の一辺とが蝶番９で着脱可能に固定されている。
【００１７】
なお、百葉箱１の一の側面を前面といい、該一の側面と対向する面を後面という。また、百葉箱１の前面側を装置前側、百葉箱１の後面側を装置後側といい、百葉箱１の前後方向を装置前後方向という。また、装置前後方向と直交する横方向を装置左右方向という。
【００１８】
図２は、飛散塩分捕獲体２０を示す正面図である。この図に示すように、飛散塩分捕獲体２０は、通気性を有し、飛散する塩分を捕獲可能である複数の矩形状（本実施形態では縦１０ｃｍ×横１０ｃｍの正方形）のガーゼ２２と、一列に並んだ複数のガーゼ２２を保持する梯子状の枠体であるガーゼホルダー２４とを備えている。ガーゼホルダー２４は、ナイロン等の伸縮性の小さいシート材で形成されている。この飛散塩分捕獲体２０では、ガーゼ２２の周縁部がガーゼホルダー２４の開口２４Ａの周縁部に貼り付けられることで、各ガーゼ２２がガーゼホルダー２４の内側に張られている。
【００１９】
ここで、ガーゼ２２には、当該ガーゼ２２を識別するための表示である数字が記されている。この数字は使用する順序や使用する月等を特定するものである。即ち、使用する順序を特定する数字の場合は、ガーゼ２２の設置数に応じて１，２，３，４，…となり、使用する月を特定する数字の場合は、例えば、４，５，６，７，…となる。
【００２０】
図３は、保持装置１００を示す縦断面図である。また、図４は、保持装置１００を示す正面図であり、図５は、保持装置１００を示す側面図である。これらの図に示すように、保持装置１００は、飛散塩分捕獲体２０の使用済部分と後述のフィルムＦとを装置の上段で保持する上段保持部１１０と、飛散塩分捕獲体２０の未使用部分を装置の下段で保持する下段保持部１２０と、これらを収納する筐体１３０とを備えている。
【００２１】
筐体１３０は、上段保持部１１０を収納する直方体状の上段部１３１と、下段保持部１２０を収納する直方体形状の下段部１３２と、これらの間に配され装置前後方向に開口した中段部１３３とを備えている。この筐体１３０は、装置左右方向に対向する一対の側板１３４を備えており、この一対の側板１３４の矩形状の上部１３４Ａが、上段部１３１の装置左右方向に対向する一対の側板を構成し、一対の側板１３４の矩形状の下部１３４Ｂが、下段部１３２の装置左右方向に対向する一対の側板を構成している。また、一対の側板１３４の上部１３４Ａと下部１３４Ｂとの間の矩形状の中央部１３４Ｃが、中段部１３３の一対の側板を構成している。ここで、中央部１３４Ｃは、上部１３４Ａ及び下部１３４Ｂよりも幅が狭くなっており、側板１３４の幅方向一端側（装置後側）に寄せて配されている。即ち、側板１３４の上部１３４Ａと下部１３４Ｂとの間には、装置前側（幅方向他端側）から後側に凹んだ矩形状の凹部が形成されている。
【００２２】
中段部１３３の上下には矩形状の開口が形成されており、上段部１３１内と下段部１３２内とは、中段部１３３を通して連通されている。ここで、中段部１３３の装置前後方向両側の矩形状の開口１３３Ａ、１３３Ｂの横幅及縦幅は、ガーゼ２２の横幅及び縦幅よりも大きくなっている。
【００２３】
上段保持部１１０は、飛散塩分捕獲体２０の使用済み部分とフィルムＦとを巻き取って保持する上段カートリッジ１１２と、フィルムＦを巻き取って保持するフィルムカートリッジ１１４とを備えている。上段カートリッジ１１２は、装置左右方向に対して平行に配された巻取軸１１２Ａを備え、フィルムカートリッジ１１４は、巻取軸１１２Ａの真上に巻取軸１１２Ａに対して平行に配された巻取軸１１４Ａを備える。巻取軸１１２Ａ、１１４Ａは、一対の側板１３４の上部１３４Ａに設けられた軸受１１２Ｂ、１１４Ｂ（図５参照）に回転可能に支持されている。
【００２４】
ここで、フィルムカートリッジ１１４から巻き出されたフィルムＦの先端が、上段カートリッジ１１２に巻き取られた飛散塩分捕獲体２０の先端の上に重ねられ、後続のフィルムＦと飛散塩分捕獲体２０とが互いに重ね合わされた状態で巻取軸１１２Ａに巻き取られている。即ち、巻取軸１１２Ａからその径方向外側へかけて、飛散塩分捕獲体２０の使用済み部分とフィルムＦとが交互に重なり合っており、使用時期が前後するガーゼ２２の間にフィルムＦが差し込まれている。なお、フィルムＦは、ガーゼホルダー２４と同様、ナイロン等の伸縮性の小さいシート材で形成されている。
【００２５】
上段部１３１の底面、前面及び背面から巻取軸１１２Ａの軸芯までの距離は、飛散塩分捕獲体２０の全体とフィルムＦの全体とを巻き取ったロールの直径よりも大きく設定されている。また、上段部１３１の上面、前面及び背面から巻取軸１１４Ａの軸芯までの距離は、フィルムＦの全体を巻き取ったロールの直径よりも大きく設定されている。さらに、飛散塩分捕獲体２０の使用済み部分は、中段部１３３の上部の開口を通して上段部１３１内に挿入されて巻取軸１１２Ａに巻き取られている。
【００２６】
一方の側板１３４の上部１３４Ａには、巻取軸１１２Ａを回転させるモータ１３６が取り付けられている（図４参照）。また、他方の側板１３４の上部１３４Ａには、カバー１３８が着脱可能に設けられている（図５参照）。このカバー１３８には軸受１１２Ｂ、１１４Ｂが設けられている。
【００２７】
下段保持部１２０は、飛散塩分捕獲体２０の未使用部分を巻き取って保持する下段カートリッジ１２２を備えている。下段カートリッジ１２２は、装置左右方向に平行に配された巻取軸１２２Ａを備える。巻取軸１２２Ａは、一対の側板１３４の下部１３４Ｂに設けられた軸受１２２Ｂ（図５参照）に回転可能に支持されている。
【００２８】
下段部１３２の底面、上面、前面及び背面から巻取軸１２２Ａの軸芯までの距離は、飛散塩分捕獲体２０の全体を巻き取ったロールの直径よりも大きく設定されている。また、飛散塩分捕獲体２０の未使用部分は、巻取軸１２２Ａから巻き出されて中段部１３３の下部の開口を通して下段部１３２内から中段部１３３に挿入されている。さらに、カバー１３８が設けられた側板１３４には、カバー１３９が着脱可能に設けられている（図５参照）。このカバー１３９には、軸受１２２Ｂが設けられている。
【００２９】
ここで、中段部１３３では、飛散塩分捕獲体２０が開口１３３Ａ、１３３Ｂを通して装置前後方向に露出するところ、ガーゼ２２が開口１３３Ａ、１３３Ｂの中に位置するように飛散塩分捕獲体２０の下段カートリッジ１２２からの巻出し量が調整される。これにより、ガーゼ２２が中段部１３３において曝露される。
【００３０】
ここで、モータ１３６は、タイマ機能付きのモータ制御装置１４０（図４参照）によって所定期間（例えば、１か月間）おきに駆動され、飛散塩分捕獲体２０を下段カートリッジ１２２から巻き出して未使用のガーゼ２２を中段部１３３の開口１３３Ａ、１３３Ｂの位置まで移動させる。以下、保持装置１００の動作について説明する。
【００３１】
図６及び図７並びに図３は、保持装置１００の使用方法を説明するための立断面図である。まず、カバー１３８、１３９を側板１３４から取り外して（図５参照）、未使用の飛散塩分捕獲体２０のロールを下段カートリッジ１２２の巻取軸１２２Ａに装着し、未使用のフィルムＦのロールをフィルムカートリッジ１１４の巻取軸１１４Ａに装着する。
【００３２】
次に、図６に示すように、飛散塩分捕獲体２０を下段カートリッジ１２２から巻き出すと共に、フィルムＦをフィルムカートリッジ１１４から巻き出して、これらの先端を互いに重ねあわせて上段カートリッジ１１２の巻取軸１１２Ａに巻き付ける。そして、モータ１３６を駆動させてガーゼ２２を中段部１３３の開口１３３Ａ、１３３Ｂの位置まで移動させる。中段部１３３のガーゼ２２は、開口１３３Ａ、１３３Ｂを通して曝露され、飛散塩分を捕獲する。
【００３３】
その後は、図３に示すように、所定期間経過後にモータ１３６が駆動されることで、順次、次の未使用のガーゼ２２が、中段部１３３の開口１３３Ａ、１３３Ｂの位置まで移動され、使用済みのガーゼ２２が、フィルムＦと共に上段カートリッジ１１２に巻き取られる。そして、最終的には、図７に示すように、全ての飛散塩分捕獲体２０が下段カートリッジ１２２から巻き出され、全てのフィルムＦがフィルムカートリッジ１１４から巻き出され、全ての飛散塩分捕獲体２０と全てのフィルムＦとが上段カートリッジ１１２に巻き取られる。この使用済みの飛散塩分捕獲体２０とフィルムＦとからなるロールを、カバー１３８を側板１３４から取り外して上段部１３１から抜き出す（図５参照）。
【００３４】
以上説明したように、本実施形態に係る飛散塩分捕獲装置１０は、大気中に飛散している塩分を捕獲可能であるガーゼ２２が連なった帯状の飛散塩分捕獲体２０と、該飛散塩分捕獲体２０をその一部が曝露するように保持する保持装置１００とを備える。この保持装置１００は、飛散塩分捕獲体２０の一部を曝露させるための開口１３３Ａ、１３３Ｂと、該開口１３３Ａ、１３３Ｂを挟んだ上段部１３１及び下段部１３２が設けられた筐体１３０と、下段部１３２に配され、飛散塩分捕獲体２０の未使用部分を巻き取って保持する下段カートリッジ１２２と、上段部１３１に配され、下段保持部１２０から巻き出されて開口１３３Ａ、１３３Ｂの位置を通過した飛散塩分捕獲体２０の使用済み部分を巻き取って保持する上段カートリッジ１１２と、上段部１３１に配され、帯状のシート材であるフィルムＦを巻き取って保持するフィルムカートリッジ１１４とを備える。
【００３５】
ここで、上段カートリッジ１１２は、フィルムカートリッジ１１４から巻き出されたフィルムＦと飛散塩分捕獲体２０の使用済み部分とを重ね合せて巻き取って保持する。これによって、飛散塩分捕獲体２０を下段部１３２に、フィルムＦを上段部１３１に収納しておき、上段カートリッジ１１２を所定量ずつ回転させるという簡単な操作により、未使用のガーゼ２２を所定時間毎に順次下段部１３２から開口１３３Ａ、１３３Ｂの位置に移動させ、使用済のガーゼ２２を所定時間毎に順次開口１３３Ａ、１３３Ｂの位置から上段部１３１へ移動させることができる。この際、上段カートリッジ１１２において、使用期間の異なるガーゼ２２が干渉すること等により捕獲期間の異なる塩分が混ざり合うことを防止できる。従って、飛散塩分を捕獲するガーゼ２２の交換を百葉箱１の中で簡単な操作により実施できると共に、捕獲期間の異なる塩分が混ざり合わないように、使用済のガーゼ２２を保管できる。
【００３６】
また、保持装置１００は、上段カートリッジ１１２の巻取軸１１２Ａを回転させるモータ１３６と、未使用のガーゼ２２が所定時間毎に順次下段部１３２から開口１３３Ａ、１３３Ｂの位置に移動され、使用済のガーゼ２２が所定時間毎に順次開口１３３Ａ、１３３Ｂの位置から上段部１３１へ移動されるように、モータ１３６を制御するモータ制御装置１４０とを備える。これによって、飛散塩分を捕獲するガーゼ２２の交換を百葉箱１の中において自動で実施できる。
【００３７】
また、保持装置１００において、上段カートリッジ１１２と下段カートリッジ１２２とは、上下に重ねて配されており、筐体１３０は、飛散塩分捕獲体２０をその幅方向に挟む一対の側板１３４を備える。ここで、一対の側板１３４の横幅は、開口１３３Ａ、１３３Ｂの位置（中央部１３４Ｃ）においてその上下（上部１３４Ａ及び下部１３４Ｂ）よりも狭くなっている。即ち、曝露されているガーゼ２２の前後の左右両側に障害物が存在しないように、保持装置１００が構成されていることによって、装置前後方向から飛来した塩分のみならず、装置左右方向から飛来した塩分をガーゼ２２で捕獲できる。従って、飛散塩分の捕獲量の減少を抑制でき、飛散塩分量の測定の精度を向上できる。
【００３８】
また、筐体１３０は、下段部１３２に飛散塩分捕獲体２０を出し入れするために側板１３４に着脱されるカバー１３９と、上段部１３１に飛散塩分捕獲体２０とフィルムＦとを出し入れするために側板１３４に着脱されるカバー１３８とを備える。これによって、未使用の飛散塩分捕獲体２０及びフィルムＦを夫々下段カートリッジ１２２及びフィルムカートリッジ１１４に装着したり、使用済みの飛散塩分捕獲体２０及びフィルムＦを上段カートリッジ１１２から取り外したりすることができる。
【００３９】
また、本実施形態に係る飛散塩分捕獲装置１０は、保持装置１００を収容し、飛散塩分捕獲体２０に導風する導風口が設けられた百葉箱１を備える。これによって、雨の影響を受けずに、風量に応じた量の飛散塩分をガーゼ２２で捕獲できる。
【００４０】
また、本実施形態に係る飛散塩分捕獲体２０のガーゼ２２には、各々を識別するための表示が記されている。この表示は、曝露位置に置かれて飛散塩分を捕獲するのに使用される月等である。よって、使用済のガーゼ２２の管理を容易化できる。
【００４１】
図８は、他の実施形態に係る保持装置２００を示す側断面図であり、図９は、他の実施形態に係る飛散塩分捕獲体３０を示す正面図である。図８に示すように、保持装置２００は、上述の実施形態の上段カートリッジ１１２に替えて上段カートリッジ２１２を備える。この上段カートリッジ２１２は、巻取ロール２１２Ａを備える。
【００４２】
巻取ロール２１２Ａの軸方向両端には、複数の針状の突起２１２Ｂが周方向に所定間隔おきに設けられている。ここで、図９に示すように、飛散塩分捕獲体３０は、その全体がガーゼにより構成されており、そのガーゼには、使用期間を識別するための表示である数字と仕切線とが記されている。
【００４３】
かかる保持装置２００では、巻取ロール２１２Ａが、その軸方向両端の突起２１２Ｂを飛散塩分捕獲体３０及びフィルムＦの幅方向両端に貫通させた状態で回転することにより、飛散塩分捕獲体３０を下段カートリッジ１２２から巻き出し、フィルムＦをフィルムカートリッジ１１４から巻き出す。
【００４４】
図１０は、他の実施形態に係る保持装置３００を示す側断面図であり、図１１は、該保持装置３００を示す正面図である。また、図１２は、他の実施形態に係る飛散塩分捕獲体４０を示す正面図である。図１０及び図１１に示すように、保持装置３００は、上段保持部３１０に配されたガイドローラー３１６と、下段保持部３２０に配されたガイドローラー３２６とを備える。
【００４５】
ガイドローラー３１６、３２６は、中段部１３３を上下に挟むように互いに平行に、且つ巻取軸１１２Ａ、１１４Ａ、１２２Ａに対して平行に配されており、飛散塩分捕獲体４０が掛けられている。ここで、飛散塩分捕獲体４０が、中段部１３３において鉛直になるようにガイドローラー３１６、３２６が配されている。
【００４６】
また、ガイドローラー３１６、３２６のローラー部分３１６Ａ、３２６Ａは、軸方向の両端に配されてその間の部分には配されておらず、該ローラー部分３１６Ａ、３２６Ａは、ガーゼホルダー２４にのみ当接し、ガーゼ２２には当接していない。
【００４７】
ここで、飛散塩分捕獲体４０は、上述の飛散塩分捕獲体２０、３０に比してガーゼ２２が多数設けられており、長尺になっている。そのため、図１３に示す初期の状態では、下段カートリッジ１２２に巻き取られた飛散塩分捕獲体４０のロールの直径が、上段カートリッジ１１２に巻き取られた飛散塩分捕獲体４０及びフィルムＦのロールの直径よりも大きくなるにあたり、これらの差が大きくなる。これにより、ガイドローラー３１６、３２６が無い場合には、飛散塩分捕獲体４０の中段部１３３での傾きが大きくなる。同様に、図１４に示す終期の状態においては、上段カートリッジ１１２に巻き取られた飛散塩分捕獲体４０及びフィルムＦのロールの直径が、下段カートリッジ１２２に巻き取られた飛散塩分捕獲体４０のロールの直径よりも大きくなるにあたり、これらの差が大きくなる。これにより、ガイドローラー３１６、３２６が無い場合には、飛散塩分捕獲体４０の中段部１３３での傾きが大きくなる。
【００４８】
それに対して、本実施形態に係る保持装置３００では、ガイドローラー３１６、３２６により、図１３に示す初期の状態でも、図１４に示す終期の状態でも、飛散塩分捕獲体４０が、中段部１３３において鉛直になる。これにより、初期から終期まで、ガーゼ２２を中段部１３３において鉛直な姿勢で曝露させることができる。従って、初期から終期まで同じ条件で飛散塩分を捕獲できる。
【００４９】
ここで、ガイドローラー３１６、３２６は、飛散塩分捕獲体４０のガーゼホルダー２４に当接し、ガーゼ２２には当接しないように構成されていることによって、ガーゼ２２で捕獲した塩分がガイドローラー３１６、３２６によりガーゼ２２から落とされることを防止でき、飛散塩分量の測定精度の低下を防止できる。
【００５０】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、飛散塩分捕獲体２０、３０、４０を曝露位置の下側から曝露位置の上側へ送る構成を例に挙げたが、飛散塩分捕獲体２０、３０、４０を曝露位置の上側から曝露位置の下側へ送るように構成してもよく、あるいは、飛散塩分捕獲体２０、３０、４０を曝露位置の左右の一方側から曝露位置の左右の他方側へ送るように構成してもよい。
【００５１】
また、上記実施形態では、シート材としてフィルムＦを例に挙げたが、シート材としては伸縮性が少ないと共に破れないだけの強度があるものであれば、紙等も用いることができる。ここで、シート材を２枚重ねるようにしてもよい。この場合、１枚のシート材に複数のガーゼ２２から塩分が移すことを防止できるため、ガーゼ２２に付着した塩分の量とシート材に付着した塩分の量とを加算して各捕獲期間の飛散塩分量を計測することができ、飛散塩分量の計測の精度を向上できる。さらに、上記実施形態では、保持装置１００、２００、３００を百葉箱１の中に入れたが、保持装置１００、２００、３００を雨の影響を受けない場所に設置する場合等には、百葉箱１を用いなくてもよい。
【符号の説明】
【００５２】
１  百葉箱、２  ガラリ、３  蓋、９  蝶番、１０  飛散塩分捕獲装置、２０  飛散塩分捕獲体、２２  ガーゼ、２４  ガーゼホルダー、２４Ａ  開口、３０  飛散塩分捕獲体、４０  飛散塩分捕獲体、１００  保持装置、１１０  上段保持部、１１２  上段カートリッジ、１１２Ａ  巻取軸、１１２Ｂ  軸受、１１４  フィルムカートリッジ、１１４Ａ  巻取軸、１１４Ｂ  軸受、１２０  下段保持部、１２２  下段カートリッジ、１２２Ａ  巻取軸、１２２Ｂ  軸受、１３０  筐体、１３１  上段部、１３２  下段部、１３３  中段部、１３３Ａ、１３３Ｂ  開口、１３４  側板、１３４Ａ  上部、１３４Ｂ  下部、１３４Ｃ  中央部、１３６  モータ、１３８  カバー、１３９  カバー、１４０  モータ制御装置、２００  保持装置、２１２  上段カートリッジ、２１２Ａ  巻取ロール、２１２Ｂ  突起、３００  保持装置、３１０  上段保持部、３１６  ガイドローラー、３１６Ａ  ローラー部分、３２０  下段保持部、３２６  ガイドローラー、３２６Ａ  ローラー部分
【図１】
0006000997.tif 000002
【図２】
0006000997.tif 000003
【図３】
0006000997.tif 000004
【図４】
0006000997.tif 000005
【図５】
0006000997.tif 000006
【図６】
0006000997.tif 000007
【図７】
0006000997.tif 000008
【図８】
0006000997.tif 000009
【図９】
0006000997.tif 000010
【図１０】
0006000997.tif 000011
【図１１】
0006000997.tif 000012
【図１２】
0006000997.tif 000013
【図１３】
0006000997.tif 000014
【図１４】
0006000997.tif 000015